(57)【要約】【課題】コンパクト化、特に高さ方向のコンパクト化を図ることができる衛生洗浄装置を提供することを目的とする。【解決手段】吐水口を有し、前記吐水口から水を噴射して使用者の身体を洗浄する洗浄ノズルと、前記洗浄ノズルを収納可能なケーシングと、を備え、前記洗浄ノズルは、前記ケーシング内に収納された収納状態から前記ケーシングから進出した進出状態に変化するとき、前記収納状態において前記洗浄ノズルの上方に存在する空間を前記洗浄ノズルの前進動作により利用して、前記洗浄ノズルの軸の水平面に対する角度が大きくなる姿勢へ遷移し、前記進出状態における前記角度は、前記収納状態における前記角度よりも大きくなることを特徴とする衛生洗浄装置が提供される。【選択図】図３
2012107385.tif 000002
【特許請求の範囲】
【請求項１】
吐水口を有し、前記吐水口から水を噴射して使用者の身体を洗浄する洗浄ノズルと、
前記洗浄ノズルを収納可能なケーシングと、
を備え、
前記洗浄ノズルは、前記ケーシング内に収納された収納状態から前記ケーシングから進出した進出状態に変化するとき、前記収納状態において前記洗浄ノズルの上方に存在する空間を前記洗浄ノズルの前進動作により利用して、前記洗浄ノズルの軸の水平面に対する角度が大きくなる姿勢へ遷移し、
前記進出状態における前記角度は、前記収納状態における前記角度よりも大きくなることを特徴とする衛生洗浄装置。
【請求項２】
前記角度が大きくなる姿勢へ前記洗浄ノズルが遷移する際には、前記洗浄ノズルの先端部が移動する移動量は、洗浄ノズルの後端部が移動する移動量よりも小さいことを特徴とする請求項１記載の衛生洗浄装置。
【請求項３】
前記角度が大きくなる姿勢へ前記洗浄ノズルが遷移する際に前記洗浄ノズルの移動を案内し規制する回動軸をさらに備え、
前記回動軸は、前記ケーシングに設けられたことを特徴とする請求項１または２に記載の衛生洗浄装置。
【請求項４】
前記回動軸は、前記収納状態における前記洗浄ノズルの先端側に設けられたことを特徴とする請求項３記載の衛生洗浄装置。
【請求項５】
前記角度が大きくなる姿勢へ前記洗浄ノズルが遷移する際に前記洗浄ノズルの移動を案内し規制する回動軸をさらに備え、
前記回動軸は、前記洗浄ノズルに設けられたことを特徴とする請求項１または２に記載の衛生洗浄装置。
【請求項６】
前記角度が大きくなる姿勢へ前記洗浄ノズルが遷移する際には、前記洗浄ノズルの上端部は、前記水平面と平行な水平軌道または前方へ向かうにつれて下方へ移動する軌道を描くことを特徴とする請求項１〜５のいずれか１つに記載の衛生洗浄装置。
【請求項７】
前記洗浄ノズルを前記ケーシングから進退させる駆動部と、
前記駆動部の駆動力を前記洗浄ノズルに伝達する伝達部と、
をさらに備え、
前記駆動部は、前記洗浄ノズルの移動に連動して変位することを特徴とする請求項１〜６のいずれか１つに記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などを水で洗浄する衛生洗浄装置に関する。
【背景技術】
【０００２】
衛生洗浄装置では、便座に座った使用者の「おしり」などの身体を洗浄する洗浄ノズルや、洗浄ノズルを駆動する駆動部などは、例えばケーシング内に収納されている。そして、洗浄ノズルは、使用者の「おしり」などに水を噴射する際には、収納されている状態の角度のままで直線的に移動して、ケーシングから便器のボウル内に進出する。また、洗浄ノズルは、一般的に、便器のボウル内に進出する際に使用者の臀部と接触しないように、進出する際の角度と同じである所定の角度でケーシング内に収納されている。ここで、近年のトイレ空間のデザイン向上に伴い、衛生洗浄装置のコンパクト化が望まれている。
【０００３】
例えば、洗浄ノズルの角度を変えることができる人体局部洗浄装置がある（特許文献１）。特許文献１に記載された人体局部洗浄装置では、洗浄ノズルは、シリンダからみて直線的に移動する。また、シリンダは、ベース部材からみて回動自在に設けられている。しかしながら、洗浄ノズルが使用状態である進出状態にある場合と収納状態にある場合とにかかわらず、シリンダは、ベース部材上に存在する。そのため、洗浄ノズルの角度を変えることができたとしても、シリンダがベース部材上で回動するための空間、特にケーシング上側の空間が必要である。また、洗浄ノズルが収納状態にあるときに、ベース部材に対するシリンダおよび洗浄ノズルの角度が小さく抑えられたとしても、洗浄ノズルが進出する際には使用者の臀部と接触しない角度以上にする必要がある。そのため、洗浄ノズルの収納時の高さを抑え、人体局部洗浄装置のコンパクト化を図るという点においては、課題が残る。
【０００４】
また、乾燥ノズルを後退位置で吹出口のある先端部が下向きとなる傾斜姿勢にするとともに、乾燥ノズルを傾斜姿勢のまま長手方向に進出させたときの吹出口の位置よりも、乾燥ノズルの進出位置での吹出口の位置が上方に位置するようにノズル駆動ユニットが制御する人体乾燥装置がある（特許文献２）。しかしながら、特許文献２に記載された人体乾燥装置では、乾燥ノズルは、進出位置よりも後退位置において起立状態にある。そのため、乾燥ノズルの後退時の高さを抑え、人体乾燥装置のコンパクト化を図るという点においては、課題が残る。
【先行技術文献】
【特許文献】
【０００５】
【特許文献１】特開２００６−２４９６７１号公報
【特許文献２】特開２００３−２８６７３８号公報
【発明の概要】
【発明が解決しようとする課題】
【０００６】
本発明は、かかる課題の認識に基づいてなされたものであり、コンパクト化、特に高さ方向のコンパクト化を図ることができる衛生洗浄装置を提供することを目的とする。
【課題を解決するための手段】
【０００７】
第１の発明は、吐水口を有し、前記吐水口から水を噴射して使用者の身体を洗浄する洗浄ノズルと、前記洗浄ノズルを収納可能なケーシングと、を備え、前記洗浄ノズルは、前記ケーシング内に収納された収納状態から前記ケーシングから進出した進出状態に変化するとき、前記収納状態において前記洗浄ノズルの上方に存在する空間を前記洗浄ノズルの前進動作により利用して、前記洗浄ノズルの軸の水平面に対する角度が大きくなる姿勢へ遷移し、前記進出状態における前記角度は、前記収納状態における前記角度よりも大きくなることを特徴とする衛生洗浄装置である。
【０００８】
この衛生洗浄装置によれば、洗浄ノズルは、収納状態から進出状態に変化するとき、収納状態において洗浄ノズルの上方に存在する空間を洗浄ノズルの前進動作により利用して、洗浄ノズルの軸の水平面に対する角度が大きくなる姿勢へ遷移する。そして、洗浄ノズルがケーシングから進出した進出状態における洗浄ノズルの軸の水平面に対する角度は、洗浄ノズルがケーシングに収納された収納状態における洗浄ノズルの軸の水平面に対する角度よりも大きい。そのため、洗浄ノズルの軸の水平面に対する角度が大きくなる姿勢へ洗浄ノズルが遷移するための特別な空間は必要ない。これにより、ケーシングの高さについては、収納状態における洗浄ノズルの最大の高さでまで抑えることも可能となる。そのため、衛生洗浄装置の高さをより低く抑え、衛生洗浄装置の高さ方向のコンパクト化を図ることができる。
【０００９】
また、第２の発明は、第１の発明において、前記角度が大きくなる姿勢へ前記洗浄ノズルが遷移する際には、前記洗浄ノズルの先端部が移動する移動量は、洗浄ノズルの後端部が移動する移動量よりも小さいことを特徴とする衛生洗浄装置である。
【００１０】
この衛生洗浄装置によれば、洗浄ノズルの軸の水平面に対する角度が大きくなる姿勢へ洗浄ノズルが遷移する際には、洗浄ノズルの先端部が移動する移動量は、洗浄ノズルの後端部が移動する移動量よりも小さい。そのため、衛生洗浄装置の前側において、洗浄ノズルが移動する空間を抑えることができる。そのため、便座の近傍に位置するケーシングの前方部をより低くし、便座に沿ったより滑らかな形状とすることができる。これにより、衛生洗浄装置のデザイン性の向上化およびコンパクト化を図ることができる。
【００１１】
また、第３の発明は、第１または第２の発明において、前記角度が大きくなる姿勢へ前記洗浄ノズルが遷移する際に前記洗浄ノズルの移動を案内し規制する回動軸をさらに備え、前記回動軸は、前記ケーシングに設けられたことを特徴とする衛生洗浄装置である。
【００１２】
この衛生洗浄装置によれば、回動軸がケーシングに設けられているため、ケーシングからみた回動軸の相対的位置は、変化しない。一方、洗浄ノズルからみた回動軸の相対的位置は、洗浄ノズルの移動に伴い、洗浄ノズルの先端側と後端側との間において変化する。そして、回動軸をケーシングに対して移動させることなく、洗浄ノズルの軸の水平面に対する角度を変化させることができる。そのため、衛生洗浄装置の高さをより低く抑え、衛生洗浄装置のコンパクト化を図ることができる。
【００１３】
また、第４の発明は、第３の発明において、前記回動軸は、前記収納状態における前記洗浄ノズルの先端側に設けられたことを特徴とする衛生洗浄装置である。
【００１４】
この衛生洗浄装置によれば、回動軸が収納状態における洗浄ノズルの先端側に設けられている。そのため、洗浄ノズルの軸の水平面に対する角度が大きくなる姿勢へ洗浄ノズルが遷移する際には、洗浄ノズルの先端部が移動する移動量は、洗浄ノズルの後端部が移動する移動量よりも小さくなる。そのため、衛生洗浄装置の前側において、洗浄ノズルが移動する空間を抑えることができる。そのため、便座の近傍に位置するケーシングの前方部をより低くし、便座に沿ったより滑らかな形状とすることができる。これにより、衛生洗浄装置のデザイン性の向上化およびコンパクト化を図ることができる。
【００１５】
また、第５の発明は、第１または第２の発明において、前記角度が大きくなる姿勢へ前記洗浄ノズルが遷移する際に前記洗浄ノズルの移動を案内し規制する回動軸をさらに備え、前記回動軸は、前記洗浄ノズルに設けられたことを特徴とする衛生洗浄装置である。
【００１６】
この衛生洗浄装置によれば、回動軸が洗浄ノズルに設けられているため、洗浄ノズルからみた回動軸の相対的位置は、変化しない。また、回動軸をケーシングに固定させる必要はない。そのため、ケーシングの構造をより簡略化させることができる。そのため、衛生洗浄装置の高さをより低く抑え、衛生洗浄装置のコンパクト化を図ることができる。
【００１７】
また、第６の発明は、第１〜第５のいずれか１つの発明において、前記角度が大きくなる姿勢へ前記洗浄ノズルが遷移する際には、前記洗浄ノズルの上端部は、前記水平面と平行な水平軌道または前方へ向かうにつれて下方へ移動する軌道を描くことを特徴とする衛生洗浄装置である。
【００１８】
例えば、洗浄ノズルの先端側が下方へ変位することにより、洗浄ノズルの軸の水平面に対する角度が大きくなる姿勢へ洗浄ノズルが遷移する場合には、洗浄ノズルの角度を変化させる機構や空間がケーシングの前方部に必要となる。そうすると、ケーシングの前方部においてコンパクト化を図ることができないおそれがある。  
これに対して、この衛生洗浄装置によれば、洗浄ノズルの軸の水平面に対する角度が大きくなる姿勢へ洗浄ノズルが遷移する際には、洗浄ノズルの上端部は、水平面と平行な水平軌道または前方へ向かうにつれて下方へ移動する軌道を描く。そのため、洗浄ノズルの角度を変化させる機構や空間をケーシングの前方部においてより小さく抑えることができる。そして、洗浄ノズルは、洗浄ノズルの上方に存在する空間を利用して洗浄ノズルの軸の水平面に対する角度が大きくなる姿勢へ遷移する。そのため、便座の近傍に位置するケーシングの前方部をより低くし、便座に沿ったより滑らかな形状とすることができる。これにより、衛生洗浄装置のデザイン性の向上化およびコンパクト化を図ることができる。
【００１９】
また、第７の発明は、第１〜第６のいずれか１つの発明において、前記洗浄ノズルを前記ケーシングから進退させる駆動部と、前記駆動部の駆動力を前記洗浄ノズルに伝達する伝達部と、をさらに備え、前記駆動部は、前記洗浄ノズルの移動に連動して変位することを特徴とする衛生洗浄装置である。
【００２０】
この衛生洗浄装置によれば、洗浄ノズルの軸の水平面に対する角度が大きくなる姿勢へ洗浄ノズルが遷移しても、駆動部の位置は、洗浄ノズルの移動に連動して変化する。そのため、駆動部から伝達部に伝達される駆動力を一定に保つことができる。あるいは、駆動部の回転角度と、洗浄ノズルの進出量と、の関係は、線形に保たれる。これにより、洗浄ノズルを安定して進出させることができる。また、使用者が洗浄ノズルの位置を調整した場合には、洗浄ノズルを所定の位置に正確に移動させることができる。
【発明の効果】
【００２１】
本発明の態様によれば、コンパクト化を図ることができる衛生洗浄装置が提供される。
【図面の簡単な説明】
【００２２】
【図１】本発明の実施の形態にかかる衛生洗浄装置を備えたトイレ装置を表す斜視模式図である。
【図２】本実施形態のノズルユニットを例示する斜視模式図である。
【図３】本実施形態の洗浄ノズルの軌道を例示する平面模式図である。
【図４】本実施形態のノズルユニットを表す平面模式図である。
【図５】本実施形態のノズルユニットを表す平面模式図である。
【図６】本実施形態のノズルユニットを表す断面模式図である。
【図７】収納状態の洗浄ノズルと便座に着座した使用者の臀部との位置関係を例示する平面模式図である。
【図８】進出状態の洗浄ノズルと便座に着座した使用者の臀部との位置関係を例示する平面模式図である。
【図９】進出途中の洗浄ノズルと便座に着座した使用者の臀部との位置関係を例示する平面模式図である。
【図１０】本発明の他の実施の形態のノズルユニットを表す平面模式図である。
【発明を実施するための形態】
【００２３】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視模式図である。
【００２４】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２５】
ケーシング４００の内部には、便座２００に座った使用者の「おしり」などの洗浄を実現する身体洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの図示しない操作部を操作すると、洗浄ノズル４７３を便器８００のボウル８０１内に進出させることができる。なお、図１に表した衛生洗浄装置１００では、洗浄ノズル４７３がボウル８０１内に進出した状態を表している。
【００２６】
洗浄ノズル４７３の先端部には、ひとつあるいは複数の吐水口４７４が設けられている。そして、洗浄ノズル４７３は、その先端部に設けられた吐水口４７４から水を噴射して、便座２００に座った使用者の「おしり」などを洗浄することができる。なお、本願明細書において「水」という場合には、冷水のみならず、加温されたお湯も含むものとする。
【００２７】
図２は、本実施形態のノズルユニットを例示する斜視模式図である。  
なお、図２（ａ）は、洗浄ノズルがケーシングに収納された状態を表す斜視模式図であり、図２（ｂ）は、洗浄ノズルが進出した状態を表す斜視模式図である。
【００２８】
本実施形態のノズルユニット４７０は、図２に表したように、基台４７５と、基台４７５に支持された洗浄ノズル４７３と、洗浄ノズル４７３を移動させるノズルモータ（駆動部）４７６と、を有する。洗浄ノズル４７３は、ノズルヘッド４７１と、シリンダ４７２と、を有する。すなわち、図２に表した洗浄ノズル４７３は、２段式である。なお、本実施形態では、２段式すなわち２本の可動部を有する洗浄ノズルを例に挙げて説明するが、本発明はこれに限定されず、可動部が３本以上の多段式の洗浄ノズル、および可動部がノズルヘッドのみの単段式の洗浄ノズルも包含する。
【００２９】
ノズルヘッド４７１は、シリンダ４７２に対して摺動自在に設けられ、少なくともその一部がシリンダ４７２の中に格納可能とされている。ノズルヘッド４７１は、ノズルモータ４７６から伝達される駆動力により、基台４７５に対して摺動自在に設けられている。これについては、後に詳述する。
【００３０】
ノズルモータ４７６は、基台４７５に固定されている。  
また、洗浄ノズル４７３は、スライダ４７７を有する。シリンダ４７２は、スライダ４７７に固定されている。スライダ４７７は、基台４７５に対して摺動自在に設けられている。そのため、シリンダ４７２は、スライダ４７７とともに基台４７５に対して摺動可能である。これにより、洗浄ノズル４７３は、ケーシング４００および基台４７５から進退自在に移動できる。
【００３１】
ケーシング４００には、洗浄ノズル４７３の移動を案内する軌道ガイド４５０が設けられている。洗浄ノズル４７３は、軌道ガイド４５０により一定の軌道を描き、収納状態から進出状態へ変化する。このとき、洗浄ノズル４７３は、収納状態において洗浄ノズル４７３の上方に存在する空間Ｂ（図４参照）を前進動作により利用し、例えば便器８００の上面などの水平面８５０（図４参照）に対する洗浄ノズル４７３の軸４７３ｃの角度θ（図４参照）が大きくなる姿勢へ遷移しつつ進出する。言い換えれば、洗浄ノズル４７３は、収納状態において洗浄ノズル４７３の上方に存在する空間Ｂを前進動作により利用して、収納状態よりも起立する姿勢へ遷移しつつ進出する。これについて、図面を参照しつつ詳細に説明する。
【００３２】
図３は、本実施形態の洗浄ノズルの軌道を例示する平面模式図である。  
また、図４および図５は、本実施形態のノズルユニットを表す平面模式図である。  
また、図６は、本実施形態のノズルユニットを表す断面模式図である。  
なお、図３〜図５は、本実施形態のノズルユニット４７０を右側方から眺めた平面模式図である。また、図６は、洗浄ノズル４７３の軸４７３ｃに沿うような切断面すなわち図２に表した切断面Ａ−Ａにおける断面模式図である。さらに、図５に表したノズルユニット４７０では、説明の便宜上、ノズルモータ４７６を省略している。
【００３３】
ケーシング４００は、図４〜図６に表したように、ケースプレート４０１と、ケースカバー４０２と、を有する。身体洗浄機能部などは、ケースプレート４０１に適宜載置され、その上方をケースカバー４０２により覆われている。
【００３４】
ノズルヘッド４７１には、図６に表したように、ケーブルラック（伝達部）４７８が固定されている。ケーブルラック４７８は、例えば柔軟性を有する樹脂などの材料により形成されている。ケーブルラック４７８の少なくとも一側面には、歯車（伝達部）４８１、４８３と係合する凹凸が設けられている。そして、ケーブルラック４７８は、基台４７５に設けられた第１のケーブルガイド部４７９と、ケーシング４００に設けられた第２のケーブルガイド部４１１と、に沿って衛生洗浄装置１００内で摺動可能に支持されている。
【００３５】
ノズルモータ４７６は、駆動出力を適宜減速させて歯車４８１、４８３に出力可能である。ケーブルラック４７８は、歯車４８３に係合され、歯車４８３の回転駆動力を直線方向の駆動力に変換してノズルヘッド４７１を移動させる。つまり、ノズルヘッド４７１は、歯車４８１、４８３およびケーブルラック４７８を介してノズルモータ４７６から伝達される駆動力により、基台４７５に対して摺動自在に設けられている。
【００３６】
軌道ガイド４５０には、図３〜図５に表したように、洗浄ノズル４７３の軌道を規制する軌道溝４５１が形成されている。一方、スライダ４７７には、図３および図５に表したように、軌道溝４５１に嵌合可能な嵌合部４７７ｂが設けられている。嵌合部４７７ｂは、軌道溝４５１に嵌合されている。そして、洗浄ノズル４７３が収納状態から進出状態へ変化する際には、スライダ４７７の嵌合部４７７ｂは、軌道溝４５１を摺動しつつ移動する。そのため、スライダ４７７は、軌道溝４５１と略同一の軌道を描き移動する。
【００３７】
嵌合部４７７ｂは、例えば回動不能な突起部としてスライダ４７７に付設されていてもよいし、スライダ４７７に対して回動自在な部分を有していてもよい。嵌合部４７７ｂがスライダ４７７に対して回動自在な部分を有する場合には、スライダ４７７の嵌合部４７７ｂは、軌道溝４５１を回動しつつ移動する。そのため、本願明細書において「摺動」という範囲には、接触状態で摺り動く場合だけではなく、接触状態で転がり動く場合が含まれるものとする。
【００３８】
軌道ガイド４５０は、曲線規制部４５３と、直線規制部４５５と、を有する。曲線規制部４５３は、略水平方向に形成されている。一方、直線規制部４５５は、曲線規制部４５３と接続された側の一端部が曲線規制部４５３と接続されていない側の他端部よりも高くなるように傾斜して形成されている。言い換えれば、直線規制部４５５は、曲線規制部４５３と接続されていない側の他端部が曲線規制部４５３と接続された側の一端部よりも低くなるように傾斜して形成されている。なお、直線規制部４５５にロック機構を持たせたり、角度変更用の駆動源を設けてもよい。
【００３９】
まず、洗浄ノズル４７３が収納状態から進出状態へ変化を始めると、スライダ４７７の嵌合部４７７ｂは、曲線規制部４５３を摺動する。このとき、図２に表したように、シリンダ４７２は、回動軸４６３によりケーシング４００に対して回動自在に軸支された筒体４６１を通過する。筒体４６１は、筒状に形成され、シリンダ４７２の角度に応じて回動軸４６３を中心として回動できる。そして、筒体４６１および回動軸４６３は、洗浄ノズル４７３の移動を案内し規制することができる。
【００４０】
そのため、洗浄ノズル４７３が収納状態から進出状態へ変化を始めると、嵌合部４７７ｂは、曲線規制部４５３に案内され略水平方向に移動する。一方で、シリンダ４７２は、回動軸４６３を中心として回動する筒体４６１の内部を通過する。これにより、洗浄ノズル４７３は、洗浄ノズル４７３の軸４７３ｃの水平面８５０に対する角度θが大きくなる姿勢へ遷移しつつ進出する。言い換えれば、洗浄ノズル４７３は、収納状態よりも起立する姿勢へ遷移しつつ進出する。そのため、スライダ４７７の嵌合部４７７ｂが曲線規制部４５３を摺動する際には、洗浄ノズル４７３の先端部（ノズルヘッド４７１の先端部）４７３ａは、図３に表したように、曲線軌道４９１を描きつつ進出する。
【００４１】
このとき、スライダ４７７は、軌道ガイド４５０に形成された軌道溝４５１と略同一の軌道を描き進出する。そのため、嵌合部４７７ｂが曲線規制部４５３を摺動する際には、スライダ４７７の上端部４７７ａは、図３に表したように、略水平軌道４９５あるいは前方へ向かうにつれて下方へ移動する軌道４９５を描きつつ進出する。言い換えれば、スライダ４７７の上端部４７７ａは、ケースカバー４０２の直下を移動する。そのため、洗浄ノズル４７３は、収納状態において洗浄ノズル４７３の上方に存在する空間Ｂを前進動作により利用して、収納状態よりも起立する姿勢へ遷移しつつ進出できる。そのため、洗浄ノズル４７３が収納状態よりも起立する姿勢へ遷移するための特別な空間は必要ない。これにより、ケースカバー４０２の高さについては、収納状態における洗浄ノズル４７３の最大の高さまで抑えることができる。そのため、衛生洗浄装置１００の高さをより低く抑え、衛生洗浄装置１００のコンパクト化を図ることができる。
【００４２】
また、筒体４６１の回動中心に位置する回動軸４６３は、収納状態の洗浄ノズル４７３の先端側に設けられている。そのため、嵌合部４７７ｂが曲線規制部４５３を摺動する際には、洗浄ノズル４７３の先端部４７３ａが移動する移動量は、洗浄ノズル４７３の後端部および上端部（スライダ４７７の上端部）４７７ａが移動する移動量よりも小さい。例えば、洗浄ノズル４７３の先端部４７３ａの曲線軌道４９１の長さは、スライダ４７７の上端部４７７ａの軌道４９５の長さよりも短い。そのため、衛生洗浄装置１００の前側において、洗浄ノズル４７３が移動する空間を抑えることができる。そのため、便座２００の近傍に位置するケーシング４００の前方部をより低くし、便座２００に沿ったより滑らかな形状とすることができる。これにより、衛生洗浄装置１００のデザイン性の向上化およびコンパクト化を図ることができる。
【００４３】
本実施形態では、回動軸４６３は、ケーシング４００に設けられている。そのため、ケーシング４００からみた回動軸４６３の相対的位置は、変化しない。一方、洗浄ノズル４７３からみた回動軸４６３の相対的位置は、洗浄ノズル４７３の移動に伴い、洗浄ノズル４７３の先端側と後端側との間において変化する。このように、回動軸４６３をケーシング４００に対して移動させることなく、洗浄ノズル４７３の軸４７３ｃの水平面８５０に対する角度θを変化させることができる。そのため、衛生洗浄装置１００の高さをより低く抑え、衛生洗浄装置１００のコンパクト化を図ることができる。
【００４４】
あるいは、回動軸４６３は、ケーシング４００ではなく洗浄ノズル４７３に設けられていてもよい。この場合には、洗浄ノズル４７３からみた回動軸４６３の相対的位置は、変化しない。また、洗浄ノズル４７３の先端側には、例えば洗浄ノズル４７３の移動を案内可能な案内部が設けられる。このような回動軸４６３としては、例えばスライダ４７７に対して回動自在な部分を有する嵌合部（回動軸）４７７ｂが相当する。この場合でも、嵌合部４７７ｂが曲線規制部４５３を摺動する際には、洗浄ノズル４７３の先端部４７３ａが移動する移動量は、洗浄ノズル４７３の後端部および上端部４７７ａが移動する移動量よりも小さい。これにより、回動軸４６３がケーシング４００に固定されている場合と同様の効果が得られる。さらに、回動軸４６３を洗浄ノズル４７３に設けることにより、収納状態の洗浄ノズル４７３の先端側に設けられる回動軸４６３を不要とすることができる。これによれば、例えば小水や汚れなどが回動軸４６３に固着し、回動軸４６３の動作性能が低下することを抑制することができる。  
また、回動軸４６３の設置形態は、これだけに限定されるわけではない。例えば、回動軸４６３は、収納状態の洗浄ノズル４７３の先端側におけるケーシング４００と、洗浄ノズル４７３と、の両方に設けられていてもよい。あるいは、回動軸４６３は、収納状態の洗浄ノズル４７３の先端側におけるケーシング４００だけに設けられていてもよい。
【００４５】
例えば、洗浄ノズル４７３の先端側が下方へ変位することにより、洗浄ノズル４７３が収納状態よりも起立する姿勢へ遷移しつつ進出する場合には、洗浄ノズル４７３の角度を変化させる機構や空間がケーシング４００の前方部に必要となる。そうすると、ケーシング４００の前方部においてコンパクト化を図ることができないおそれがある。  
これに対して、本実施形態では、スライダ４７７の上端部４７７ａが略水平軌道４９５あるいは前方へ向かうにつれて下方へ移動する軌道４９５を描くことにより、洗浄ノズル４７３が収納状態よりも起立する姿勢へ遷移しつつ進出する。そのため、洗浄ノズル４７３の角度を変化させる機構や空間をケーシング４００の前方部においてより小さく抑えることができる。そして、洗浄ノズル４７３は、収納状態において洗浄ノズル４７３の上方に存在する空間Ｂを前進動作により利用して、収納状態よりも起立する姿勢へ遷移しつつ進出できる。そのため、便座２００の近傍に位置するケーシング４００の前方部をより低くし、便座２００に沿ったより滑らかな形状とすることができる。これにより、衛生洗浄装置１００のデザイン性の向上化およびコンパクト化を図ることができる。
【００４６】
続いて、スライダ４７７の嵌合部４７７ｂは、直線規制部４５５を摺動する。このとき、筒体４６１は、ケーシング４００に対して回動自在に軸支されているため、直線規制部４５５の傾斜角度すなわちスライダ４７７およびシリンダ４７２の移動方向と、筒体４６１の軸方向と、は略同一となる。これにより、スライダ４７７の嵌合部４７７ｂが直線規制部４５５を摺動する際には、洗浄ノズル４７３の先端部４７３ａは、図３に表したように、直線軌道４９３を描きつつ進出する。
【００４７】
洗浄ノズル４７３が進出する際には、基台４７５およびノズルモータ４７６は、図３および図５に表したように、洗浄ノズル４７３の進出に連動して変位する。そのため、基台４７５とノズルモータ４７６との相対的位置は、洗浄ノズル４７３の進出によっては変化しない。  
なお、ノズルヘッド４７１およびシリンダ４７２の進出順序は、特に限定されるわけではない。例えば、ノズルヘッド４７１がシリンダ４７２の中に格納された状態で、洗浄ノズル４７３の先端部４７３ａが曲線軌道４９１を描きつつ進出する。その後、ノズルヘッド４７１がシリンダ４７２の中から外へ摺動し、洗浄ノズル４７３の先端部４７３ａが直線軌道４９３を描きつつ進出する。この場合には、多段式の洗浄ノズル４７３がよりコンパクト化された状態で、洗浄ノズル４７３の先端部４７３ａが曲線軌道４９１を描きつつ進出する。これにより、収納状態の洗浄ノズル４７３の高さをより低く抑えることができる。そのため、衛生洗浄装置１００の高さをより低く抑え、衛生洗浄装置１００のコンパクト化を図ることができる。  
あるいは、例えば、洗浄ノズル４７３の先端部４７３ａが曲線軌道４９１を描きつつ進出する動作と、ノズルヘッド４７１がシリンダ４７２の中から外へ摺動する動作と、が並行して行われてもよい。
【００４８】
前述したように、ノズルモータ４７６は、基台４７５に固定され、洗浄ノズル４７３の進出に連動して変位する。そのため、ノズルモータ４７６の水平面８５０に対する角度の変化量と、洗浄ノズル４７３の軸４７３ｃの水平面８５０に対する角度θの変化量と、は同じとなる。言い換えれば、基台４７５とノズルモータ４７６とは、同じ軌道を描きつつ移動する。そのため、ノズルモータ４７６からノズルヘッド４７１に伝達される駆動力は、略一定に保たれる。つまり、洗浄ノズル４７３は、ノズルモータ４７６から伝達される略一定の駆動力で進出できる。あるいは、ノズルモータ４７６の回転角度と、洗浄ノズル４７３の進出量と、の関係は線形となる。これにより、洗浄ノズル４７３を安定して進出させることができる。また、使用者が洗浄ノズル４７３の位置を調整した場合には、洗浄ノズル４７３を所定の位置に正確に移動させることができる。
【００４９】
また、本実施形態では、洗浄ノズル４７３は、洗浄ノズル４７３の軸４７３ｃの水平面８５０に対する角度θが大きくなる姿勢へ遷移しつつ進出する。そのため、洗浄ノズル４７３の軸４７３ｃの水平面８５０に対する角度θが進出状態よりも小さい姿勢で洗浄ノズル４７３を収納させることができる。これにより、収納状態の洗浄ノズル４７３の高さをより低く抑えることができる。そのため、衛生洗浄装置１００の高さをより低く抑え、衛生洗浄装置１００のコンパクト化を図ることができる。
【００５０】
図７は、収納状態の洗浄ノズルと便座に着座した使用者の臀部との位置関係を例示する平面模式図である。  
また、図８は、進出状態の洗浄ノズルと便座に着座した使用者の臀部との位置関係を例示する平面模式図である。  
また、図９は、進出途中の洗浄ノズルと便座に着座した使用者の臀部との位置関係を例示する平面模式図である。
【００５１】
図３〜図６に関して前述したように、本実施形態では、洗浄ノズル４７３の軸４７３ｃの水平面８５０に対する角度θが進出状態よりも小さい姿勢で洗浄ノズル４７３を収納させることができる。より具体的には、図７に表したように、収納状態の洗浄ノズル４７３の軸４７３ｃは、便座２００に着座した使用者の臀部６００と干渉する。言い換えれば、収納状態における洗浄ノズル４７３の軸４７３ｃの水平面８５０に対する角度θは、洗浄ノズル４７３が収納状態の姿勢（角度）のままで進出した場合に便座２００に着座した使用者の臀部６００と接触する角度である。
【００５２】
これに対して、本実施形態の洗浄ノズル４７３は、図９に表したように、洗浄ノズル４７３の軸４７３ｃの水平面８５０に対する角度θが大きくなる姿勢へ遷移しつつ進出する。そのため、図８に表したように、進出状態の洗浄ノズル４７３の軸４７３ｃは、便座２００に着座した使用者の臀部６００とは干渉しない。また、図８および図９に表したように、進出状態および進出途中の洗浄ノズル４７３は、便座２００に着座した使用者の臀部６００とは接触しない。本実施形態では、洗浄ノズル４７３の先端部４７３ａが描く曲線軌道４９１は、洗浄ノズル４７３が便座２００に着座した使用者の臀部６００と接触することを回避する軌道である。一方、洗浄ノズル４７３の先端部４７３ａが描く直線軌道４９３は、進出状態へ到達する軌道である。これにより、収納状態の洗浄ノズル４７３の軸４７３ｃが便座２００に着座した使用者の臀部６００と干渉する程度にまで、洗浄ノズル４７３の軸４７３ｃの水平面８５０に対する角度θが小さい姿勢で洗浄ノズル４７３を収納させることができる。また、便座２００の後部の先端部に洗浄ノズル４７３の先端部４７３ａが到達するタイミングで曲線軌道４９１から直線軌道４９３に遷移していることで、洗浄ノズル４７３と使用者の臀部６００との干渉を確実に防ぐことができる。  
なお、洗浄ノズル４７３と使用者の臀部６００との干渉を回避する角度θは、一般的な形状を有する便座２００および便器８００、並びに一般的な収納位置（例えば臀部６００との水平方向および鉛直方向の相対的位置）に設置された洗浄ノズル４７３を有する衛生洗浄装置１００を使用した場合には、例えば約３０°〜４５°程度である。
【００５３】
本実施形態によれば、収納状態の洗浄ノズル４７３の高さをより低く抑えた場合でも、進出状態および進出途中の洗浄ノズル４７３が便座２００に着座した使用者の臀部６００と接触することを回避できる。これにより、収納状態の洗浄ノズル４７３の高さをより低く抑えることができる。そのため、衛生洗浄装置１００の高さをより低く抑え、衛生洗浄装置１００のコンパクト化を図ることができる。
【００５４】
次に、本発明の他の実施の形態について説明する。  
図１０は、本発明の他の実施の形態のノズルユニットを表す平面模式図である。  
なお、図１０に表したノズルユニットでは、説明の便宜上、ノズルモータ４７６を省略している。
【００５５】
本実施形態の洗浄ノズル４７３は、可動部がノズルヘッドのみの単段式の洗浄ノズルである。洗浄ノズル４７３は、スライダ４７７に固定されている。その他の構造は、図２〜図６に関して前述したノズルユニット４７０の構造と同様である。
【００５６】
まず、洗浄ノズル４７３が収納状態から進出状態へ変化を始めると、スライダ４７７の嵌合部４７７ｂは、曲線規制部４５３を摺動する。このとき、洗浄ノズル４７３は、回動軸４６３によりケーシング４００に対して回動自在に軸支された筒体４６１を通過する。筒体４６１は、筒状に形成され、洗浄ノズル４７３の角度に応じて回動軸４６３を中心として回動できる。
【００５７】
そのため、洗浄ノズル４７３が収納状態から進出状態へ変化を始めると、嵌合部４７７ｂは、曲線規制部４５３に案内され略水平方向に移動する。一方で、洗浄ノズル４７３は、回動軸４６３を中心として回動する筒体４６１の内部を通過する。これにより、洗浄ノズル４７３は、図１０に表したように、洗浄ノズル４７３の軸４７３ｃの水平面８５０に対する角度θが大きくなる姿勢へ遷移しつつ進出する。言い換えれば、洗浄ノズル４７３は、収納状態よりも起立する姿勢へ遷移しつつ進出する。そのため、スライダ４７７の嵌合部４７７ｂが曲線規制部４５３を摺動する際には、洗浄ノズル４７３の先端部４７３ａは、曲線軌道４９１（図３参照）を描きつつ進出する。
【００５８】
このとき、スライダ４７７は、軌道ガイド４５０に形成された軌道溝４５１と略同一の軌道を描き進出する。そのため、嵌合部４７７ｂが曲線規制部４５３を摺動する際には、スライダ４７７の上端部４７７ａは、略水平軌道４９５あるいは前方へ向かうにつれて下方へ移動する軌道４９５を描きつつ進出する（図３参照）。言い換えれば、スライダ４７７の上端部４７７ａは、ケースカバー４０２の直下を移動する。そのため、洗浄ノズル４７３が多段式ではなく単段式の場合でも、洗浄ノズル４７３は、収納状態において洗浄ノズル４７３の上方に存在する空間Ｂを前進動作により利用して、収納状態よりも起立する姿勢へ遷移しつつ進出できる。そのため、洗浄ノズル４７３が収納状態よりも起立する姿勢へ遷移するための特別な空間は必要ない。これにより、ケースカバー４０２の高さについては、収納状態における洗浄ノズル４７３の最大の高さまで抑えることができる。そのため、衛生洗浄装置１００の高さをより低く抑え、衛生洗浄装置１００のコンパクト化を図ることができる。また、その他の効果についても、図３〜図８に関して前述した効果と同様の効果が得られる。
【００５９】
続いて、スライダ４７７の嵌合部４７７ｂは、直線規制部４５５を摺動する。このとき、筒体４６１は、ケーシング４００に対して回動自在に軸支されているため、直線規制部４５５の傾斜角度すなわちスライダ４７７および洗浄ノズル４７３の移動方向と、筒体４６１の軸方向と、は略同一となる。これにより、スライダ４７７の嵌合部４７７ｂが直線規制部４５５を摺動する際には、洗浄ノズル４７３の先端部４７３ａは、直線軌道４９３（図３参照）を描きつつ進出する。
【００６０】
以上、洗浄ノズル４７３が収納状態から進出状態へ変化する場合を主として説明した。但し、洗浄ノズル４７３は、進出状態から収納状態へ変化するときにも同様の軌道を描きつつ移動する。すなわち、例えば、洗浄ノズル４７３が進出状態から収納状態へ変化する際には、洗浄ノズル４７３の先端部４７３ａは、直線軌道４９３の後に曲線軌道４９１を描く。つまり、洗浄ノズル４７３は、洗浄ノズル４７３の軸４７３ｃの水平面８５０に対する角度θが小さくなる姿勢へ遷移しつつ後退する。そして、洗浄ノズル４７３は、洗浄ノズル４７３の軸４７３ｃの水平面８５０に対する角度θが進出状態よりも小さい姿勢で収納される。
【００６１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ノズルユニット４７０や軌道ガイド４５０などが備える各要素の形状、寸法、材質、配置などや洗浄ノズル４７３やノズルモータ４７６の設置形態などは、例示したものに限定されるわけではなく適宜変更することができる。例えば、洗浄ノズル４７３の角度を変化させるモータと、洗浄ノズル４７３を進出させるモータと、に分けてノズルモータ４７６を設置してもよい。  また、前述した各実施の形態が備える各要素は、技術的に可能な限りにおいて組み合わせることができ、これらを組み合わせたものも本発明の特徴を含む限り本発明の範囲に包含される。
【符号の説明】
【００６２】
１００ 衛生洗浄装置、  ２００ 便座、  ３００ 便蓋、  ４００ ケーシング、  ４０１ ケースプレート、  ４０２ ケースカバー、  ４０４ 着座検知センサ、  ４１１ 第２のケーブルガイド部、  ４５０ 軌道ガイド、  ４５１ 軌道溝、  ４５３ 曲線規制部、  ４５５ 直線規制部、  ４６１ 筒体、  ４６３ 回動軸、  ４７０ ノズルユニット、  ４７１ ノズルヘッド、  ４７２ シリンダ、  ４７３ 洗浄ノズル、  ４７３ａ 先端部、  ４７３ｃ 軸、  ４７４ 吐水口、  ４７５ 基台、  ４７６ ノズルモータ、  ４７７ スライダ、  ４７７ａ 上端部、  ４７７ｂ 嵌合部、  ４７８ ケーブルラック、  ４７９ 第１のケーブルガイド部、  ４８１、４８３ 歯車、  ４９１ 曲線軌道、  ４９３ 直線軌道、  ４９５ 軌道、  ６００ 臀部、  ８００ 便器、  ８０１ ボウル、  ８５０ 水平面
【図１】
2012107385.tif 000003
【図２】
2012107385.tif 000004
【図３】
2012107385.tif 000005
【図４】
2012107385.tif 000006
【図５】
2012107385.tif 000007
【図７】
2012107385.tif 000008
【図８】
2012107385.tif 000009
【図９】
2012107385.tif 000010
【図１０】
2012107385.tif 000011
【図６】
2012107385.tif 000012
【手続補正書】
【提出日】平成24年3月2日(2012.3.2)
【手続補正１】
【補正対象書類名】特許請求の範囲
【補正対象項目名】全文
【補正方法】変更
【補正の内容】
【特許請求の範囲】
【請求項１】
吐水口を有し、前記吐水口から水を噴射して使用者の身体を洗浄する洗浄ノズルと、
前記洗浄ノズルを収納可能なケーシングと、
を備え、
前記洗浄ノズルは、前記ケーシング内に収納された収納状態から前記ケーシングから進出した進出状態に変化するとき、前記収納状態において前記洗浄ノズルの上方に存在する空間を前記洗浄ノズルの前進動作により利用して、前記洗浄ノズルの軸の水平面に対する角度が大きくなる姿勢へ遷移し、
前記進出状態における前記角度は、前記収納状態における前記角度よりも大きくなり、
前記角度が大きくなる姿勢へ前記洗浄ノズルが遷移する際には、前記洗浄ノズルの上端部は、前記水平面と平行な水平軌道または前方へ向かうにつれて下方へ移動する軌道を描くことを特徴とする衛生洗浄装置。
【請求項２】
吐水口を有し、前記吐水口から水を噴射して使用者の身体を洗浄する洗浄ノズルと、
前記洗浄ノズルを収納可能なケーシングと、
前記洗浄ノズルを前記ケーシングから進退させる駆動部と、
前記駆動部の駆動力を前記洗浄ノズルに伝達する伝達部と、
を備え、
前記洗浄ノズルは、前記ケーシング内に収納された収納状態から前記ケーシングから進出した進出状態に変化するとき、前記収納状態において前記洗浄ノズルの上方に存在する空間を前記洗浄ノズルの前進動作により利用して、前記洗浄ノズルの軸の水平面に対する角度が大きくなる姿勢へ遷移し、
前記進出状態における前記角度は、前記収納状態における前記角度よりも大きくなり、
前記駆動部は、前記洗浄ノズルの移動に連動して変位することを特徴とする衛生洗浄装置。
【請求項３】
前記角度が大きくなる姿勢へ前記洗浄ノズルが遷移する際には、前記洗浄ノズルの先端部が移動する移動量は、洗浄ノズルの後端部が移動する移動量よりも小さいことを特徴とする請求項１または２に記載の衛生洗浄装置。
【請求項４】
前記角度が大きくなる姿勢へ前記洗浄ノズルが遷移する際に前記洗浄ノズルの移動を案内し規制する回動軸をさらに備え、
前記回動軸は、前記ケーシングに設けられたことを特徴とする請求項１〜３のいずれか１つに記載の衛生洗浄装置。
【請求項５】
前記回動軸は、前記収納状態における前記洗浄ノズルの先端側に設けられたことを特徴とする請求項４記載の衛生洗浄装置。
【請求項６】
前記角度が大きくなる姿勢へ前記洗浄ノズルが遷移する際に前記洗浄ノズルの移動を案内し規制する回動軸をさらに備え、
前記回動軸は、前記洗浄ノズルに設けられたことを特徴とする請求項１〜３のいずれか１つに記載の衛生洗浄装置。
【請求項７】
前記洗浄ノズルを前記ケーシングから進退させる駆動部と、
前記駆動部の駆動力を前記洗浄ノズルに伝達する伝達部と、
をさらに備え、
前記駆動部は、前記洗浄ノズルの移動に連動して変位することを特徴とする請求項１記載の衛生洗浄装置。
【手続補正２】
【補正対象書類名】明細書
【補正対象項目名】０００７
【補正方法】変更
【補正の内容】
【０００７】
第１の発明は、吐水口を有し、前記吐水口から水を噴射して使用者の身体を洗浄する洗浄ノズルと、前記洗浄ノズルを収納可能なケーシングと、を備え、前記洗浄ノズルは、前記ケーシング内に収納された収納状態から前記ケーシングから進出した進出状態に変化するとき、前記収納状態において前記洗浄ノズルの上方に存在する空間を前記洗浄ノズルの前進動作により利用して、前記洗浄ノズルの軸の水平面に対する角度が大きくなる姿勢へ遷移し、前記進出状態における前記角度は、前記収納状態における前記角度よりも大きくなり、前記角度が大きくなる姿勢へ前記洗浄ノズルが遷移する際には、前記洗浄ノズルの上端部は、前記水平面と平行な水平軌道または前方へ向かうにつれて下方へ移動する軌道を描くことを特徴とする衛生洗浄装置である。
【手続補正３】
【補正対象書類名】明細書
【補正対象項目名】０００８
【補正方法】変更
【補正の内容】
【０００８】
この衛生洗浄装置によれば、洗浄ノズルは、収納状態から進出状態に変化するとき、収納状態において洗浄ノズルの上方に存在する空間を洗浄ノズルの前進動作により利用して、洗浄ノズルの軸の水平面に対する角度が大きくなる姿勢へ遷移する。そして、洗浄ノズルがケーシングから進出した進出状態における洗浄ノズルの軸の水平面に対する角度は、洗浄ノズルがケーシングに収納された収納状態における洗浄ノズルの軸の水平面に対する角度よりも大きい。そのため、洗浄ノズルの軸の水平面に対する角度が大きくなる姿勢へ洗浄ノズルが遷移するための特別な空間は必要ない。これにより、ケーシングの高さについては、収納状態における洗浄ノズルの最大の高さでまで抑えることも可能となる。そのため、衛生洗浄装置の高さをより低く抑え、衛生洗浄装置の高さ方向のコンパクト化を図ることができる。
また、例えば、洗浄ノズルの先端側が下方へ変位することにより、洗浄ノズルの軸の水平面に対する角度が大きくなる姿勢へ洗浄ノズルが遷移する場合には、洗浄ノズルの角度を変化させる機構や空間がケーシングの前方部に必要となる。そうすると、ケーシングの前方部においてコンパクト化を図ることができないおそれがある。  
これに対して、この衛生洗浄装置によれば、洗浄ノズルの軸の水平面に対する角度が大きくなる姿勢へ洗浄ノズルが遷移する際には、洗浄ノズルの上端部は、水平面と平行な水平軌道または前方へ向かうにつれて下方へ移動する軌道を描く。そのため、洗浄ノズルの角度を変化させる機構や空間をケーシングの前方部においてより小さく抑えることができる。そして、洗浄ノズルは、洗浄ノズルの上方に存在する空間を利用して洗浄ノズルの軸の水平面に対する角度が大きくなる姿勢へ遷移する。そのため、便座の近傍に位置するケーシングの前方部をより低くし、便座に沿ったより滑らかな形状とすることができる。これにより、衛生洗浄装置のデザイン性の向上化およびコンパクト化を図ることができる。
【手続補正４】
【補正対象書類名】明細書
【補正対象項目名】０００９
【補正方法】変更
【補正の内容】
【０００９】
また、第２の発明は、吐水口を有し、前記吐水口から水を噴射して使用者の身体を洗浄する洗浄ノズルと、前記洗浄ノズルを収納可能なケーシングと、前記洗浄ノズルを前記ケーシングから進退させる駆動部と、前記駆動部の駆動力を前記洗浄ノズルに伝達する伝達部と、を備え、前記洗浄ノズルは、前記ケーシング内に収納された収納状態から前記ケーシングから進出した進出状態に変化するとき、前記収納状態において前記洗浄ノズルの上方に存在する空間を前記洗浄ノズルの前進動作により利用して、前記洗浄ノズルの軸の水平面に対する角度が大きくなる姿勢へ遷移し、前記進出状態における前記角度は、前記収納状態における前記角度よりも大きくなり、前記駆動部は、前記洗浄ノズルの移動に連動して変位することを特徴とする衛生洗浄装置である。
【手続補正５】
【補正対象書類名】明細書
【補正対象項目名】００１０
【補正方法】変更
【補正の内容】
【００１０】
この衛生洗浄装置によれば、洗浄ノズルは、収納状態から進出状態に変化するとき、収納状態において洗浄ノズルの上方に存在する空間を洗浄ノズルの前進動作により利用して、洗浄ノズルの軸の水平面に対する角度が大きくなる姿勢へ遷移する。そして、洗浄ノズルがケーシングから進出した進出状態における洗浄ノズルの軸の水平面に対する角度は、洗浄ノズルがケーシングに収納された収納状態における洗浄ノズルの軸の水平面に対する角度よりも大きい。そのため、洗浄ノズルの軸の水平面に対する角度が大きくなる姿勢へ洗浄ノズルが遷移するための特別な空間は必要ない。これにより、ケーシングの高さについては、収納状態における洗浄ノズルの最大の高さでまで抑えることも可能となる。そのため、衛生洗浄装置の高さをより低く抑え、衛生洗浄装置の高さ方向のコンパクト化を図ることができる。
また、この衛生洗浄装置によれば、洗浄ノズルの軸の水平面に対する角度が大きくなる姿勢へ洗浄ノズルが遷移しても、駆動部の位置は、洗浄ノズルの移動に連動して変化する。そのため、駆動部から伝達部に伝達される駆動力を一定に保つことができる。あるいは、駆動部の回転角度と、洗浄ノズルの進出量と、の関係は、線形に保たれる。これにより、洗浄ノズルを安定して進出させることができる。また、使用者が洗浄ノズルの位置を調整した場合には、洗浄ノズルを所定の位置に正確に移動させることができる。
【手続補正６】
【補正対象書類名】明細書
【補正対象項目名】００１１
【補正方法】変更
【補正の内容】
【００１１】
また、第３の発明は、第１または第２の発明において、前記角度が大きくなる姿勢へ前記洗浄ノズルが遷移する際には、前記洗浄ノズルの先端部が移動する移動量は、洗浄ノズルの後端部が移動する移動量よりも小さいことを特徴とする衛生洗浄装置である。
【手続補正７】
【補正対象書類名】明細書
【補正対象項目名】００１２
【補正方法】変更
【補正の内容】
【００１２】
この衛生洗浄装置によれば、洗浄ノズルの軸の水平面に対する角度が大きくなる姿勢へ洗浄ノズルが遷移する際には、洗浄ノズルの先端部が移動する移動量は、洗浄ノズルの後端部が移動する移動量よりも小さい。そのため、衛生洗浄装置の前側において、洗浄ノズルが移動する空間を抑えることができる。そのため、便座の近傍に位置するケーシングの前方部をより低くし、便座に沿ったより滑らかな形状とすることができる。これにより、衛生洗浄装置のデザイン性の向上化およびコンパクト化を図ることができる。
【手続補正８】
【補正対象書類名】明細書
【補正対象項目名】００１３
【補正方法】変更
【補正の内容】
【００１３】
また、第４の発明は、第１〜第３のいずれか１つの発明において、前記角度が大きくなる姿勢へ前記洗浄ノズルが遷移する際に前記洗浄ノズルの移動を案内し規制する回動軸をさらに備え、前記回動軸は、前記ケーシングに設けられたことを特徴とする衛生洗浄装置である。
【手続補正９】
【補正対象書類名】明細書
【補正対象項目名】００１４
【補正方法】変更
【補正の内容】
【００１４】
この衛生洗浄装置によれば、回動軸がケーシングに設けられているため、ケーシングからみた回動軸の相対的位置は、変化しない。一方、洗浄ノズルからみた回動軸の相対的位置は、洗浄ノズルの移動に伴い、洗浄ノズルの先端側と後端側との間において変化する。そして、回動軸をケーシングに対して移動させることなく、洗浄ノズルの軸の水平面に対する角度を変化させることができる。そのため、衛生洗浄装置の高さをより低く抑え、衛生洗浄装置のコンパクト化を図ることができる。
【手続補正１０】
【補正対象書類名】明細書
【補正対象項目名】００１５
【補正方法】変更
【補正の内容】
【００１５】
また、第５の発明は、第４の発明において、前記回動軸は、前記収納状態における前記洗浄ノズルの先端側に設けられたことを特徴とする衛生洗浄装置である。
【手続補正１１】
【補正対象書類名】明細書
【補正対象項目名】００１６
【補正方法】変更
【補正の内容】
【００１６】
この衛生洗浄装置によれば、回動軸が収納状態における洗浄ノズルの先端側に設けられている。そのため、洗浄ノズルの軸の水平面に対する角度が大きくなる姿勢へ洗浄ノズルが遷移する際には、洗浄ノズルの先端部が移動する移動量は、洗浄ノズルの後端部が移動する移動量よりも小さくなる。そのため、衛生洗浄装置の前側において、洗浄ノズルが移動する空間を抑えることができる。そのため、便座の近傍に位置するケーシングの前方部をより低くし、便座に沿ったより滑らかな形状とすることができる。これにより、衛生洗浄装置のデザイン性の向上化およびコンパクト化を図ることができる。
【手続補正１２】
【補正対象書類名】明細書
【補正対象項目名】００１７
【補正方法】変更
【補正の内容】
【００１７】
また、第６の発明は、第１〜第３のいずれか１つの発明において、前記角度が大きくなる姿勢へ前記洗浄ノズルが遷移する際に前記洗浄ノズルの移動を案内し規制する回動軸をさらに備え、前記回動軸は、前記洗浄ノズルに設けられたことを特徴とする衛生洗浄装置である。
【手続補正１３】
【補正対象書類名】明細書
【補正対象項目名】００１８
【補正方法】変更
【補正の内容】
【００１８】
この衛生洗浄装置によれば、回動軸が洗浄ノズルに設けられているため、洗浄ノズルからみた回動軸の相対的位置は、変化しない。また、回動軸をケーシングに固定させる必要はない。そのため、ケーシングの構造をより簡略化させることができる。そのため、衛生洗浄装置の高さをより低く抑え、衛生洗浄装置のコンパクト化を図ることができる。
【手続補正１４】
【補正対象書類名】明細書
【補正対象項目名】００１９
【補正方法】変更
【補正の内容】
【００１９】
また、第７の発明は、第１の発明において、前記洗浄ノズルを前記ケーシングから進退させる駆動部と、前記駆動部の駆動力を前記洗浄ノズルに伝達する伝達部と、をさらに備え、前記駆動部は、前記洗浄ノズルの移動に連動して変位することを特徴とする衛生洗浄装置である。